【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
箱型の収納ケースと、
この収納ケースの少なくともその一側面に設けられ、取付けするジャケット類の取付け位置を位置決めすると共に、その脱落を阻止する差込片を有する取付手段とからなるジャケット類の取付手段付き収納体。
【請求項２】
箱型の収納ケースと、
この収納ケースの少なくともその一側面に設けられ、取付けするジャケット類の取付け位置を位置決めすると共に、その脱落を阻止して挿入したジャケット類の形状とは異なる他の形状に変化させる差込片を有する取付手段とからなるジャケット類の取付手段付き収納体。
【請求項３】
箱型の収納ケースと、
この収納ケースの互いに隣接する三面に渡って取付けするジャケット類の取付け位置を位置決めすると共に、このジャケット類の脱落を前記三面のそれぞれで阻止する差込片や押え具などの押え手段を有する取付手段とからなるジャケット類の取付手段付き収納体。
【請求項４】
背面板の両側でそれぞれヒンジを介して設けた箱体と蓋とが一体化された収納ケースと、
この収納ケースを形成する前記箱体と蓋との外表面に設けられると共に、取付けするジャケット類の周辺部を押える差込片と、前記背面板の少なくともどちらかの一端で、ヒンジを介して設けた前記ジャケット類の押え具を有する取付手段とからなるジャケット類の取付手段付き収納体。
【請求項５】
背面板の両側で、それぞれヒンジを介して設けた箱体と蓋とが一体化された収納ケースと、
この収納ケースを形成する前記箱体と背面板及び蓋との外周面から、それぞれ外方に突出した状態で、かつ、ヒンジを介して前記収納ケースと一体で設けられると共に、この収納ケースの外表面に取付けするジャケット類用の複数の押え具を有する取付手段とからなるジャケット類の取付手段付き収納体。
【請求項６】
背面板の両側で、それぞれヒンジを介して設けた箱体と蓋とが一体化された収納ケースと、
この収納ケースを形成する前記箱体と蓋との外表面にジャケット類を位置決めして取付けすると共に、前記背面板の少なくとも一個所に設けた貫通孔に挿入され、前記ジャケット類の収納ケースからの外れを阻止して、前記収納ケースとは別体にして設けた押え具を有する取付手段とからなるジャケット類の取付手段付き収納体。
【手続補正２】
【補正対象書類名】明細書
【補正対象項目名】０００４
【補正方法】変更
【補正の内容】
【０００４】
【課題を解決するための手段】
上記不具合を解決するために、本発明は次のような構成としている。
請求項１に記載したジャケット類の取付手段付き収納体は、箱形の収納ケースの少なくとも一側面に設けられ、取付けるジャケット類の取付位置を位置決めすると共に、その脱落を阻止する差込片からなる取付手段を設けることでジャケット類の取付手段付き収納体とした。
このような収納体によれば収納ケースの外側にジャケット類を差し込んで取付けたり取外したりが容易にできる。
請求項２に記載したジャケット類の取付手段付き収納体は、箱形の収納ケースの少なくともその一側面に設けられ、取付けるジャケット類の取付位置を位置決めすると共に、その脱落を阻止して挿入したジャケット類の形状とは異なる他の形状に変化させる差込片からなる取付手段を設けることで、ジャケット類の取付手段付き収納体とした。
このような収納体によれば方形のジャケット類を取付けても、差込片の形によって、方形とは異なる他のジャケット類を取付けたように、見受けられるものである。
請求項３に記載したジャケット類の取付手段付き収納体は、箱形の収納ケースの互いに隣接する三面に渡って取付けるジャケット類の取付位置を位置決めすると共に、このジャケット類の脱落を、前記三面のそれぞれで阻止する差込片や押え具などからなる取付手段を設けることで、ジャケット類の取付手段付き収納体とした。
このような収納体によれば、収納ケースの略全面に大判のジャケット類を取付けて各面でしっかり支持させることができる。
請求項４に記載したジャケット類の取付手段付き収納体は、背面板の両側でそれぞれヒンジを介して設けた箱体と蓋とが一体化された収納ケースの、箱体と蓋との外表面に設けられると共に、取付けるジャケット類の周辺部を押える差込片を設けた。
また、背面板のどちらかの一端でヒンジを介して前記ジャケット類の押え具などからなる取付手段を設けることで、ジャケット類の取付手段付き収納体とした。
このような収納体によれば、収納ケースの全外表面にジャケット類を取付けできると共に、収納ケースと一体で設けた押え具で、ジャケット類の一部を固着したことにより、背面板側からジャケットが、抜け落ちることを阻止したものである。
請求項５に記載したジャケット類の取付手段付き収納体は、背面板の両側で、それぞれヒンジを介して設けた箱体と蓋とが一体化された収納ケースの、前記箱体と背面板及び蓋との外周囲から、それぞれ外方に突出した状態で、かつ、ヒンジを介して前記収納ケースと一体で設けられると共に、この収納ケースの外表面に取付けるジャケット類用の複数の押え具からなる取付手段を設けることで、ジャケット類の取付手段付き収納体とした。
このような収納体によれば収納ケースの外表面全体に取付けしたジャケット類を複数の押え具のみで完全に固着することができる。
請求項６に記載したジャケット類の取付手段付き収納体は、背面板の両側で、それぞれヒンジを介して設けた箱体と蓋とが一体化された収納ケースの、前記箱体と蓋との外表面にジャケット類を位置決めして取付けるようにした。
また、背面板の少なくとも１個所に貫通孔を設けると共に、この貫通孔には取付けたジャケット類の外れを阻止し、収納ケースとは別体で形成した押え具を挿入する取付手段とすることで、ジャケット類の取付手段付き収納体とした。
このような収納体によれば、押え具を収納ケースと一体で形成することなく、市販品の押え具を使用することができるものである。


【手続補正３】
【補正対象書類名】明細書
【補正対象項目名】０００８
【補正方法】変更
【補正の内容】
【０００８】
本発明の第２形態について、図面を参照して説明する。図４は本発明の第２形態で、ジャケット類の取付手段付き収納体を開いた状態で示す斜視図、図５は図４の要部拡大図、図６は図５の組立状態を示す説明図である。
図４で示すように、本発明の第２形態で示すジャケット類の取付手段付き収納体４０は、前述例と同様の収納ケース１０の表面全体にジャケット類を取付けできる取付手段を設けたものである。
すなわち、図１及び図３で示した例では、収納ケースのどちらか片側面にのみ、ジャケット類を取付けるようにしたが、図４で示す例は、収納ケース１０の箱体と蓋および背面板１５の全ての面に亘る大きさで、１枚のジャケット類を取付けできるようにした取付手段である。


【手続補正４】
【補正対象書類名】明細書
【補正対象項目名】０００９
【補正方法】変更
【補正の内容】
【０００９】
このジャケット類の取付手段付き収納体４０を更に詳細に説明する。
箱体と蓋とを開くと共に、背面板１５を含めてこれらを平面状に置いた収納ケース１０の外表面には、背面板１５の両端を除いて、枠状の凸溝よりなる位置決め４２と、ジャケット類の押え手段としての複数の差込片４４とからなる取付手段を設けている。
位置決め４２は、ジャケット類の外周囲を位置決めするものであり、差込片４４は、そのジャケット類の上側を押えるもので、前述例と同様の作用を持っている。
但し、差込片４４は、前述例のように角部に配置させていない点が相違するが、どちらも同じ作用、効果を有する。
更に、背面板１５の両端には、図５からも判明するように、２本のヒンジ４５を介して、平板状の押え具４６を設けている。この押え具４６には、その先端を尖らせた円柱状の小突起４７を設けると共に、この小突起４７を挿入することができる小穴４８を、背面板１５に設けている。